(57)【特許請求の範囲】
【請求項１】
ソーラパネルアレイを構成する各セルを支持するための架台を固定する独立基礎について、前記独立基礎の形成に用いられる円形状型枠の水平位置合わせと高さ位置合わせを行なうための配列調整用枠であって、
前記配列調整用枠は、鋼材を基材とし、外周が正多角形状であり、かつ、その内部に前記独立基礎を形成するための円形状型枠が外接可能な形状であり、
前記正多角形状の各頂点に、地面への固定およびその解除と、高さ調整が可能な固定手段を有し、
前記配列調整用枠は、前記円形状型枠の水平位置を、該円形状型枠を該配列調整用枠の内部に内接させることで決定し、前記円形状型枠の高さ位置を、該円形状型枠の円形上端部を、該配列調整用枠の天端部に合わせることで決定することを特徴とする配列調整用枠。
【請求項２】
前記配列調整用枠は、外周が正三角形状であり、
その内部に、前記正三角形のそれぞれの角の対辺に平行で、該正三角形の重心と該角との間に位置する３つの辺からなる、前記円形状型枠に外接可能な部位を有することを特徴とする請求項１記載の配列調整用枠。
【請求項３】
請求項１または請求項２記載の配列調整用枠を用いた独立基礎の施工方法であって、
（ａ）測量により基礎芯の位置を決定する工程と、
（ｂ）前記配列調整用枠と外周形状が同一である専用定規を用い、該専用定規の中心部の位置が前記基礎芯の位置に合致するように、該専用定規を控え板を介して地面上に設置する工程と、
（ｃ）前記控え板を地面上に残したまま前記専用定規を取り外す工程と、
（ｄ）前記基礎芯の位置を起点として、基礎部の地中部分となる部分を掘削する工程と、
（ｅ）前記配列調整用枠の各頂点にある固定手段が、前記控え板に合うように、該配列調整用枠を前記控え板を介して前記固定手段で地面に固定する工程と、
（ｆ）基礎部の地中部分用のコンクリートを前記掘削した部分全体に打設する工程と、
（ｇ）レーザーレベルで測量を行ない、前記配列調整用枠の天端部の高さ位置が所定の高さになるように前記固定手段で調整する工程と、
（ｈ）前記円形状型枠を、前記配列調整用枠の内部で外接するように設置する工程と、
（ｉ）前記円形状型枠の上端部の高さ位置を、前記配列調整用枠の天端部の高さ位置に合わせる工程と、
（ｊ）基礎部の地表部分用のコンクリートを前記円形状型枠の内部に打設する工程と、
（ｋ）前記コンクリートが固化したことを確認した後、前記配列調整用枠を撤去する工程と、
（ｌ）前記円形状型枠を基礎部から取り外す工程と、
を備えてなることを特徴とする独立基礎の施工方法。
【発明の詳細な説明】
【技術分野】
【０００１】
本発明は、ソーラパネルを支持するソーラパネル用コンクリート製基礎の配列に際して、基礎の型として用いる円形状型枠の位置合わせと高さ合わせ行なう配列調整用枠、および、それを用いた独立基礎の施工方法に関する。
【背景技術】
【０００２】
近年、クリーンエネルギーシステムの一角として太陽光発電設備が注目されている。太陽光発電設備は太陽光という無尽蔵なエネルギー源を利用し、温室効果ガスを一切排出しない。また、単純な設備構造であるため保守管理を容易に実施することができる。さらに、ソーラパネルのセル数を地形などに応じて設定することができるため、さまざまな規模のソーラパネルアレイを自在に建設することができる。
【０００３】
一方で、ソーラパネルは表面積が大きく、かつ、薄い構造であるため、強風により飛ばされることがないように、また、振動により位置ズレが発生することがないように対策を施す必要がある。一般的にはソーラパネルは架台を設置することによって支持される。特に、地面に太陽光発電設備を建設する場合は、架台を固定する基礎の一部を地中に埋設し、この基礎の上部に架台を設置してソーラパネルを固定する場合が多い。
【０００４】
建物を建設する際に基礎を構築する工法としてベタ基礎工法および独立基礎工法が知られている。ベタ基礎工法は、建物の建設場所一帯にコンクリート製基礎を設置する工法である。これは住宅の敷地内に建設する場合によく用いられる工法である。太陽光発電設備の建設工事の場合では、建設場所一帯に設置したコンクリート基礎を以って架台を固定し、ソーラパネルをその架台に設置している。
【０００５】
一方、独立基礎工法は、架台ごとに基礎を形成する工法である。太陽光発電設備の建設工事の場合は、ソーラパネルを構成するセルごとにコンクリート製基礎を設置し、基礎ごとに架台を固定し、ソーラパネルをそれらの架台に設置する。この工法では、基礎の構造が単純であり、用いる建材も少なくすむため、ベタ基礎工法と比較すると施工が簡易で低コストであるという優れた特徴がある。
【０００６】
独立基礎工法における基礎の形成方法として代表的な方法を示す。まず、ソーラパネルアレイの格子形状をかたどった枠を用いて複数の基礎芯の位置決めを一括で実施して基礎を形成する工法がある。また、予め型枠を用いて形成した基礎を地中に埋設する工法（特許文献１参照）がある。また、地中に直接コンクリートを打設して基礎を形成し、その上部に型枠によって基礎を形成する工法（特許文献２および特許文献３参照）がある。また、施工の際に撤去を必要としない型枠である捨型枠を用いて基礎を形成する方法（特許文献４参照）がある。
【０００７】
独立基礎工法により施工する場合、基礎芯に係る位置決めおよび基礎に係る位置合わせと高さ合わせとに高い精度が求められる。また、施工時に基礎または型枠の位置ズレおよび変形が発生することを防止する対策を施す必要がある。ソーラパネルアレイの格子形状をかたどった型枠を用いて複数の基礎芯の位置決めを一括で実施して基礎を形成する工法の技術では、基礎芯の位置決めを一括で実施するため、工期の短縮が可能である。
【０００８】
特許文献１の技術では、外周部に突起物を設けた基礎を予め形成し、地中に埋設する際に突起物が抵抗となって位置ズレを防止することを実現している。特許文献２および特許文献３の技術では、施工地にてオーガにより掘削形成した地中孔の内部に直接コンクリートを打設することで地中孔内に基礎を形成するため、地中埋設部の基礎に関しては位置ズレの心配がない。特許文献４の技術では、複数の略Ｌ字型の捨型枠を組み合わせて１個の捨型枠としており、この構造がコンクリート打設前に少し或いはほぼ全部を埋め戻すことによって捨型枠を安定化させるため、捨枠型を用いた工法での懸案であった埋設土やコンクリートから受ける圧力によって型枠が変形することを防止することに成功している。
【先行技術文献】
【特許文献】
【０００９】
【特許文献１】特開２０１４−１２５８２４号公報
【特許文献２】特開２００７−３１５１１１号公報
【特許文献３】特開２００８−２１１４号公報
【特許文献４】特開２０１４−５５４６２号公報
【発明の概要】
【発明が解決しようとする課題】
【００１０】
独立基礎工法の従来技術に関しては、基礎芯の位置決め、基礎の位置合わせおよび高さ合わせ、施工時の基礎または型枠の位置ズレおよび変形のいずれかの問題を解消することはできても、全てを同時に解消するには至っていない。また、枠・型枠の構造や基礎の施工方法によっては、その他の問題が付随して生じることもある。例えば、ソーラパネルアレイの格子形状をかたどった枠を用いて複数の基礎芯の位置決めを一括で実施して基礎を形成する工法では、土地の形状などによっては必ずしも基礎芯の位置決めの精度が高いとは言えない。また、建設現場の形状や独立基礎の個数に合わせて、枠を製造する必要があり、汎用性に乏しい。
【００１１】
特許文献１の技術では、型枠が大型のため広い保管場所を必要とする。また、型枠および形成した基礎の運送コストが膨大となるほか、砕石の転圧具合などの影響を受け易く、高さ合わせが容易ではない。特許文献２および特許文献３の技術では、型枠を撤去してから埋め戻し工程に移行するため、型枠内にコンクリートを打設してから固化するまでの間に、コンクリートから受ける圧力の影響で型枠が変形する可能性がある。特許文献４の技術では、砕石の転圧具合などの影響を受け易く高さ合わせが容易ではない。また、使用する型枠は、再使用は出来ないために独立基礎の個数に応じた分を用意する必要がある。
【００１２】
本発明はこのような問題に同時に対処するためになされたものであり、独立基礎の配列に際して、基礎に係る高精度の位置合わせと高精度の高さ合わせとを実施でき、かつ、施工時に基礎またはその型枠の位置ズレおよび変形が発生することを防止できる配列調整用枠を提供することを目的とする。また、基礎芯に係る高精度の位置決めを実施できる独立基礎工法を提供することを目的とする。
【課題を解決するための手段】
【００１３】
本発明の配列調整用枠は、ソーラパネルアレイを構成する各セルを支持するための架台を固定する独立基礎に関して、上記独立基礎の形成に用いられる円形状型枠の水平位置合わせと高さ位置合わせを行なうための配列調整用枠であって、上記配列調整用枠は、鋼材を基材とし、外周が正多角形状であり、かつ、その内部に上記独立基礎を形成するための円形状型枠が外接可能な形状であり、上記正多角形状の各頂点に、地面への固定およびその解除と、高さ調整が可能な固定手段を有し、上記配列調整用枠は、上記円形状型枠の水平位置を、該円形状型枠を該配列調整用枠の内部に内接させることで決定し、上記円形状型枠の高さ位置を、該円形状型枠の円形上端部を、該配列調整用枠の天端部に合わせることで決定することを特徴とする。
【００１４】
上記配列調整用枠は、外周が正三角形状であり、その内部に、上記正三角形のそれぞれの角の対辺に平行で、該正三角形の重心と該角との間に位置する３つの辺からなる、上記円形状型枠に外接可能な部位を有することを特徴とする。
【００１５】
本発明の独立基礎の施工方法は、本発明の配列調整用枠を用いた上で、（ａ）測量により基礎芯の位置を決定する工程と、（ｂ）上記配列調整用枠と外周形状が同一である専用定規を用い、該専用定規の中心部の位置が上記基礎芯の位置に合致するように、該専用定規を控え板を介して地面上に設置する工程と、（ｃ）上記控え板を地面上に残したまま上記専用定規を取り外す工程と、（ｄ）上記基礎芯の位置を起点として、基礎部の地中部分となる部分を掘削する工程と、（ｅ）上記配列調整用枠の各頂点にある固定手段が、上記控え板に合うように、該配列調整用枠を上記控え板を介して上記固定手段で地面に固定する工程と、（ｆ）基礎部の地中部分用のコンクリートを上記掘削した部分全体に打設する工程と、（ｇ）レーザーレベルで測量を行ない、上記配列調整用枠の天端部の高さ位置が所定の高さになるように上記固定手段で調整する工程と、（ｈ）上記円形状型枠を、上記配列調整用枠の内部で外接するように設置する工程と、（ｉ）上記円形状型枠の上端部の高さ位置を、上記配列調整用枠の天端部の高さ位置に合わせる工程と、（ｊ）基礎部の地表部分用のコンクリートを上記円形状型枠の内部に打設する工程と、（ｋ）上記コンクリートが固化したことを確認した後、上記配列調整用枠を撤去する工程と、（ｌ）上記円形状型枠を基礎部から取り外す工程と、を備えてなることを特徴とする。
【発明の効果】
【００１６】
本発明の配列調整用枠は、上記構成を有し、基礎の形成に用いる円形状型枠の水平位置を、円形状型枠を配列調整用枠の内部に内接させることで決定し、円形状型枠の高さ位置を、円形状型枠の円形上端部を、配列調整用枠の天端部に合わせることで決定するので、円形状型枠に係る高精度の位置合わせと高精度の高さ合わせとを実施できる。この結果、基礎に係る高精度の位置合わせと高精度の高さ合わせとを実施できる。また、配列調整用枠は、施工時に基礎または円形状型枠の位置ズレと変形とが発生することを防止できる。
【００１７】
特に、配列調整用枠は、外周が正三角形状であり、その内部に該正三角形のそれぞれの角の対辺に平行で該正三角形の重心と該角との間に位置する３つの辺からなる、円形状型枠に外接可能な部位を有するので、円形状型枠の位置ズレと変形とが発生することを防止できる。
【００１８】
また、配列調整用枠は、固定手段を用いることで地面への固定およびその解除ができるため再使用が可能である。さらに、配列調整用枠は、配列調整用枠同士を重ねることができるので、かさ張ることがない。よって、容易に運搬でき、また、広い保管場所を必要としない。
【００１９】
本発明の独立基礎の施工方法は、上記各工程を有するので、ソーラパネルアレイを構成する各セルを支持するための架台を固定する独立基礎について、高精度の位置合わせと高精度の高さ合わせとを実施できる。特に、専用定規を用いるので、基礎芯に係る高精度の位置決めを実施できる。
【００２０】
本発明の独立基礎の施工方法は、完成基礎構造を円筒状とするため、基礎の地中埋設部の型枠とみなせる土中孔をオーガにより掘削形成するため作業が簡易的である。また、基礎の地中埋設部全体はオーガにより掘削形成させた土中孔が型として機能することで形成されることから、埋め戻し工程を必要とせず、これを必要とする場合と比較して工期を短縮できる。
【図面の簡単な説明】
【００２１】
【図１】本発明に係る配列調整用枠の一例の平面図である。
【図２】基礎芯の位置決めに使用する専用定規である。
【図３】基礎形成に使用する円形状型枠である。
【図４】基礎芯の位置決めに係る測量の工程に関する図である。
【図５】配列調整用枠の設置場所に係る位置決めを実施する工程に関する図である。
【図６】配列調整用枠の設置場所に係る位置決めの実施後における専用定規撤去の工程に関する図である。
【図７】土中孔形成のための掘削の工程に関する図である。
【図８】配列調整用枠の設置に関する図である。
【図９】下部基礎コンクリート形成のためのコンクリート打設の工程に関する図である。
【図１０】補強筋挿入工程に関する図である。
【図１１】上部基礎コンクリートの高さ位置を決定する為の測量の工程に関する図である。
【図１２】円形状型枠設置の工程に関する図である。
【図１３】上部基礎コンクリート形成のためのコンクリート打設の工程に関する図である。
【図１４】基礎天端部の高さ合わせの工程に関する図である。
【図１５】円形状型枠の撤去の工程に関する図である。
【図１６】脱型の工程に関する図である。
【図１７】基礎芯の位置確認の工程に関する図である。
【図１８】基礎芯の位置確認の実施後における専用定規撤去の工程に関する図である。
【発明を実施するための形態】
【００２２】
本発明の配列調整用枠は、太陽光発電設備工事の施工の際に用いられるものである。具体的には、ソーラパネルアレイを構成する各セルを支持する架台を固定するための独立基礎の形成に用いられる。
【００２３】
本発明の配列調整用枠の一例を図１に基づいて説明する。図１は、配列調整用枠の平面図であり、外周が正三角形状のものである。本発明の配列調整用枠１は、上述の独立基礎形成に使用する円形状型枠に係る位置合わせと高さ合わせとに用いられ、これにより独立基礎に係る位置合わせと高さ合わせとを実施するものである。図１に示すように、配列調整用枠１は、鋼材を基材とし、外周が正多角形状であり、かつ、その内部に独立基礎を形成するための円形状型枠３が外接可能な形状である。配列調整用枠１は、正多角形状の各頂点に、地面への固定およびその解除と、高さ調整が可能な固定手段１ｆを有する。
【００２４】
配列調整用枠１の使用方法としては、円形状型枠３の水平位置を、円形状型枠３を配列調整用枠１の内部に内接させる（より具体的には、円形状型枠３の外壁部３ｂを配列調整用枠１のＬ型鋼１ｂに外接させて固定する）ことで決定し、円形状型枠３の上端部３ｃの位置を、配列調整用枠１の天端部１ｅの位置に合わせることで決定する。
【００２５】
配列調整用枠１の形状は、正多角形状のものが好ましい。これにより、配列調整用枠１への固定時や円形状型枠の外接時において、平鋼１ａ、Ｌ型鋼１ｂ、および可動Ｌ型鋼１ｃに生じる応力を均一化できる。なお、可動Ｌ型鋼１ｃは、可動部品１ｄを介して開閉自在に設けられている（図１５等参照）。
【００２６】
配列調整用枠１の形状は、特に図１に示すように、配列調整用枠１の外周を正三角形状とし、その内部に該正三角形のそれぞれの角の対辺の平鋼１ａに平行で、該正三角形の重心と該角との間に位置する３つの辺（Ｌ型鋼１ｂが２つと、可動Ｌ型鋼１ｃが１つ）からなる、円形状型枠３に外接可能な部位を有することが好ましい。この構造により、平鋼１ａ、Ｌ型鋼１ｂ、および可動Ｌ型鋼１ｃの歪みを生じ難い。また、固定手段１ｆの資材の使用数を抑制できるため、コスト削減と作業時間の短縮化が図れる。
【００２７】
次いで、本発明の独立基礎の施工方法について説明する。
［測量による基礎芯の位置決め］
図４に示すように、測量カメラ１０および測量棒１１により基礎芯の位置を決め、基礎芯となる位置に鉄ピン１３を打ち込む。
【００２８】
［配列調整用枠の設置場所の位置決め］
図２に示す、配列調整用枠と外周形状が同一である専用定規２を用いて、配列調整用枠の設置場所の位置決めを行なう。図５に示すように、専用定規２を、専用定規２の重心が打ち込んだ鉄ピン１３の位置に合致するように、該鉄ピンで地面に固定された控え板１ｇを介して設置する。専用定規２は、固定手段１ｆを各頂点に取り付けることによって固定される。控え板１ｇは配列調整用枠１の設置工程において配列調整用枠の位置決めに用いられる。なお、専用定規２は外周形状が正三角形の平鋼２ａであり、その内部には各辺の中点を頂点とする正三角形状の平鋼が配置されている。さらに、内部三角形の各頂点からは対辺に向かって垂直となるようにロープ２ｂが取り付けられており、３本のロープ２ｂの交点は外周三角形の重心に位置する。
【００２９】
［配列調整用枠の設置場所の位置決めの実施後における専用定規の撤去］
図６に示すように、配列調整用枠の設置場所の位置決めが完了した後、専用定規２を撤去する。独立基礎を規則的に連続配置する場合は、専用定規２の頂点から垂線およびその延長線をチョークを用いて地面上に書き、その延長線上の所定の位置に重心が合致するように、別の専用定規２を、略Ｌ型アンカーボルト１ｈで地面に固定した控え板１ｇを介して地面に設置し、その重心を基礎芯の位置として、地面に鉄ピン１３を打ち込む。配列調整用枠の設置場所の位置決めが完了したら、専用定規２を撤去する。
【００３０】
［掘削］
重心同士を結んだチョークラインに対する垂線を各重心よりチョークを用いて書く。図７に示すように、重心同士を結んだチョークラインおよびそれに対する垂線の各交点、すなわち基礎芯となる各位置から鉛直下方に向かってオーガ６を用いて掘削を実施し、土中孔５を形成させる。土中孔５には、後述のように基礎部の地中部分（下部基礎コンクリート）が形成される。
【００３１】
［配列調整用枠の設置］
図８に示すように、配列調整用枠１の各頂点にある固定手段１ｆを、控え板１ｇに合うように設置し、略Ｌ型アンカーボルト１ｈで地面に固定した控え板１ｇを介して配列調整用枠１を固定手段１ｆで地面に固定する。
【００３２】
［下部基礎コンクリート形成のためのコンクリート打設］
図９に示すように、掘削形成した土中孔の全体にコンクリート打設機７を用いてコンクリート８を打設し、下部基礎コンクリート８ｂを形成させる。
【００３３】
［補強筋挿入］
図１０に示すように、下部基礎コンクリート８ｂが固化するまでの間に補強筋９を、この補強筋の一部が地上に露出するよう、下部基礎コンクリート８ｂの内部に挿入する。
【００３４】
［上部基礎コンクリートの高さ位置を決定する為の測量］
図１１に示すように、レーザーレベル１２を用いて測量を実施する。この工程では、後の工程（［上部基礎コンクリート形成のためのコンクリート打設］）で形成される上部基礎コンクリートの高さ位置を決定するために行なわれる。まず、測量棒１１を配列調整用枠１における平鋼１ａの上方に縦向きに配置する。次に、レーザーレベル１２より測量棒１１にレーザー光を照射する。この際、測量棒１１における目盛にレーザー光が照射されるよう、測量棒１１の高さを合わせる。さらに、配列調整用枠１の固定手段１ｆにより平鋼１ａの上端部の高さを該測量棒の底面に合わせる。この工程を配列調整用枠の全ての平鋼１ａに対して行なう。
【００３５】
［円形状型枠の取り付け工程］
地上露出部の基礎形成に使用する円形状型枠を図３に示す。円形状型枠３の内壁部３ａに、円形状型枠３の内部全体に打設するコンクリートが固化した後に容易に取り外すことができるように、剥離剤を塗布する。次に、図１２に示すように、配列調整用枠１の可動Ｌ型鋼１ｃを開き、円形状型枠３の外壁部３ｂを配列調整用枠１の内部に外接させ、可動Ｌ型鋼１ｃを閉じて、円形状型枠３をＬ型鋼１ｂおよび可動Ｌ型鋼１ｃに均等に外接させる。図３に示すように、円形状型枠３は、上部基礎コンクリート８ａの固化後に容易に取り外すことができるように、円筒軸方向に沿って均等に分割できるものとする。また、円形状型枠３は、ジョイントロープの通し孔３ｄを設けることにより、分割した該円形状型枠をジョイントロープ３ｅによって結束固定して復元できるものとする。なお、円形状型枠３の分割数に特に限定はなく、作業効率の観点から、分割数は２とすることが好ましい。
【００３６】
［上部基礎コンクリート形成のためのコンクリート打設］
図１３に示すように、円形状型枠３の内部全体にコンクリート打設機７を用いてコンクリートを打設し、上部基礎コンクリート８ａを形成させる。
【００３７】
［基礎天端部の高さ合わせ］
図１４に示すように、上部基礎コンクリート８ａが固化するまでの間に円形状型枠３の上端部３ｃの高さと、円形状型枠３が外接するＬ型鋼１ｂおよび可動Ｌ型鋼１ｃの天端部１ｅの高さが合致するように、円形状型枠３の上端部３ｃの高さを工具４を用いて調整することによって上部基礎コンクリート８ａの上端部を水平化する。
【００３８】
［配列調整用枠の撤去］
図１５に示すように、打設したコンクリート８の全体が固化したことを確認したら、可動Ｌ型鋼１ｃを開いて配列調整用枠１を撤去する。このコンクリート８の全体が基礎部となる。
【００３９】
［円形状型枠の取り外し］
図１６に示すように、円形状型枠３からジョイントロープをほどいて、上部基礎コンクリート８ａから円形状型枠３を取り外す。
【００４０】
［基礎芯の位置確認と専用定規の撤去］
図１７に示すように、専用定規２を再度元の位置に設置し、専用定規２の重心の位置が基礎芯の位置と合致することを確認する。確認後、図１８に示すように、専用定規２を撤去する。
【００４１】
本発明の独立基礎の施工方法は、以上の通りである。なお、配列調整用枠を連続配置する場合は、［専用定規により配列調整用枠の設置場所の位置決め］の工程で地面に打ち込んだ各鉄ピンについて、［掘削］の工程から［配列調整用枠の撤去］までの工程を行なって、各独立基礎を作製する。
【産業上の利用可能性】
【００４２】
現在、自然エネルギーを利用した発電の供給が促進されている。その中でも太陽光発電は他の発電方式と比較して設備の設置に係る土地の制約が小さいことが一因となって、今後その需要の高まりが見込まれ、それに伴い建設工事が急ピッチでなされる必要性が生じるものと思われる。本発明の配列調整用枠および独立基礎施工方法は、ソーラパネルアレイを構成する各セルを支持するための架台を固定する独立基礎の施工に際して、基礎に係る高精度の位置合わせと高精度の高さ合わせとを実施できるので、当該施工工事に好適に利用できる。
【符号の説明】
【００４３】
１  配列調整用枠
１ａ  平鋼
１ｂ  Ｌ型鋼
１ｃ  可動Ｌ型鋼
１ｄ  可動部品
１ｅ  天端部
１ｆ  固定手段
１ｇ  控え板
１ｈ  略Ｌ型アンカーボルト
２  専用定規
２ａ  平鋼
２ｂ  ロープ
３  円形状型枠
３ａ  内壁部
３ｂ  外壁部
３ｃ  上端部
３ｄ  ジョイントロープの通し孔
３ｅ  ジョイントロープ
４  工具
５  土中孔
６  オーガ
７  コンクリート打設機
８  コンクリート
８ａ  上部基礎コンクリート
８ｂ  下部基礎コンクリート
９  補強筋
１０  測量カメラ
１１  測量棒
１２  レーザーレベル
１３  鉄ピン
【図１】
0006626360.tif 000002
【図２】
0006626360.tif 000003
【図３】
0006626360.tif 000004
【図４】
0006626360.tif 000005
【図５】
0006626360.tif 000006
【図６】
0006626360.tif 000007
【図７】
0006626360.tif 000008
【図８】
0006626360.tif 000009
【図９】
0006626360.tif 000010
【図１０】
0006626360.tif 000011
【図１１】
0006626360.tif 000012
【図１２】
0006626360.tif 000013
【図１３】
0006626360.tif 000014
【図１４】
0006626360.tif 000015
【図１５】
0006626360.tif 000016
【図１６】
0006626360.tif 000017
【図１７】
0006626360.tif 000018
【図１８】
0006626360.tif 000019